(57)【特許請求の範囲】
【請求項１】
システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；
前記照明制御監視システムの中央制御装置に専用信号線で直接接続された照明制御監視システム用サーバーと；
所定の通信プロトコルに基づいたデータ伝送を行う汎用情報ネットワークで前記照明制御監視システム用サーバーと接続され、前記汎用情報ネットワークを介し前記照明制御監視システム用サーバーへ制御監視データが送受信可能な少なくとも１つのクライアントＰＣと；
前記照明制御監視システム内に、前記照明制御監視システム用サーバーと前記汎用情報ネットワークとの間を切断或いは接続する切換手段と、この切換手段の切断或いは接続を操作する監視端末器とを設けて構成され、前記照明制御監視システムと前記汎用情報ネットワークとの間を切断或いは接続する手段と；
を具備したことを特徴とする照明制御システム。
【請求項２】
システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；
前記照明制御監視システムの中央制御装置に専用信号線で直接接続された照明制御監視システム用サーバーと；
所定の通信プロトコルに基づいたデータ伝送を行う汎用情報ネットワークで前記照明制御監視システム用サーバーと接続され、前記汎用情報ネットワークを介し前記照明制御監視システム用サーバーへ制御監視データが送受信可能な少なくとも１つのクライアントＰＣと；
前記中央制御装置内の前記照明制御監視システム用サーバーと前記中央制御装置とを接続する信号線に設けられ、中央制御装置の電源入切に連動して、前記照明制御監視システム用サーバーから前記中央制御装置へ送信した信号を、中央制御装置側に取り込むか、又は中央制御装置側から前記照明制御監視システム用サーバーへループバックさせるかを、切り換える信号経路切換部と；
を具備したことを特徴とする照明制御システム。
【発明の詳細な説明】
【０００１】
【発明の属する技術分野】
本発明は、屋内外の照明制御及び監視を一括して行う照明制御システムに関する。
【０００２】
【従来の技術】
従来の照明制御システムは、図１０に示すように、システム全体を管理する中央制御装置１０と、壁などに設置された操作スイッチやセンサなどを有し、ユーザの操作などを検出して上記中央制御装置１０に信号を送信する監視端末器２０と、負荷（放電灯など）４０が外部接続されており、上記中央制御装置１０からの制御信号を受信して負荷４０に対してその信号内容に応じた制御動作を行う制御端末器３０とを具備し、中央制御装置１０から導出された伝送信号線５０上に上記監視端末器２０及び制御端末器３０を接続して構成されていた。以下、図１０の中央制御装置１０，監視端末器２０，制御端末器３０，負荷４０，及び伝送信号線５０からなるホスト・端末型のシステムを照明制御監視システムと呼ぶ。
【０００３】
しかしながら、上記図１０のような照明制御監視システム用の中央制御装置１０を設置後に、インターネットなどの汎用情報ネットワークとの間でデータのインターフェース（以下、Ｉ／Ｆという）を取る必要が出た場合には、データＩ／Ｆ機能を備えた専用設計された中央制御装置と交換して設置し直す必要があった。
【０００４】
或いは、汎用情報ネットワークとの間でデータのＩ／Ｆを取るには、図１１に示すように、汎用情報ネットワーク６０ためのの照明制御監視システム用サーバー７０を中央制御装置１０Ａとは別に設け、専用信号線８０で中央制御装置１０Ａと接続する必要があった。なお、符号９０は、汎用情報ネットワーク６０に接続したクライアント用パソコン（以下、クライアントＰＣという）である。
【０００５】
ところで、以上の従来の照明制御システムには次に示すような問題がある。
【０００６】
図１０に示す従来の照明制御システムでは、ユーザが制御端末器３０を動作させるためには照明制御監視システムが設置されている場所に行き監視端末器２０を操作して行う必要があり、また動作している制御端末器把握及び中央制御装置諸設定を行うにも照明制御監視システムが設置されている場所へ行き中央制御装置１０を操作する必要があり不便であった。
【０００７】
図１１に示す従来の照明制御システムでは、照明制御監視システム用サーバーを別に設けて中央制御装置と専用信号線で接続する必要があり、接続作業が煩雑であった。
【０００８】
また、図１１に示す従来の照明制御システムでは、汎用情報ネットワークから照明制御監視システムを切り離すには、汎用情報ネットワークと照明制御監視システムが接続されている箇所を探し、線を外すなど物理的に切断するしかなく、操作性が悪く非能率的であった。
【０００９】
さらに、図１１に示す従来の照明制御システムでは、照明制御監視システム用サーバー７０と中央制御装置１０Ａとの間における専用信号線８０（信号送信線８１，８２，及び共通線８３の３つの線からなる）の接続は、図１２に示すように照明制御監視システム用サーバー７０からの信号送信線８１が中央制御装置１０Ａの信号受信部１４１へ、中央制御装置１０Ａからの信号送信線８２が照明制御監視システム用サーバー７０の信号受信部７１２へ、という構成であった。そのため、照明制御監視システム用サーバー７０から中央制御装置１０Ａにアクセスしたにも関わらず応答がない場合は、専用信号線８０が切断しているのか中央制御装置１０Ａが動作していない（つまり、電源オフ）なのか判断できず不便であった。
【００１０】
【発明が解決しようとする課題】
上記の如く、従来の照明制御システムでは、汎用情報ネットワークとの間でデータＩ／Ｆをとるためには、そのために専用設計された中央制御装置を必要としたり、或いは照明制御監視システム用サーバーを別に設けて専用信号線で接続する必要があり、接続作業が煩雑であった。
【００１１】
また、制御端末器を動作させたい場合や、中央制御装置の諸設定、動作している制御端末器の情報取得を行うには照明制御監視システムが設置されている場所へ行かねばならなかった。
【００１２】
さらに、照明制御監視システムを汎用情報ネットワークから切り離した場合には、切断すべき箇所を探して線を抜くなどする必要があり、不便（非能率的）であった。
【００１３】
さらに、照明制御監視システム用サーバーを用いたシステムでは、クライアントＰＣから照明制御監視システム用サーバーを通して中央制御装置にアクセスしたにも関わらず応答がない場合は、専用信号線が切断しているのか中央制御装置が電源オフしているのかユーザは判断できなかった。
【００１４】
そこで、本発明は上記の問題に鑑み、照明制御監視システムと汎用情報ネットワークとの接続を簡単に行うことができると共に、汎用情報ネットワークを介して中央制御装置へデータを送受信し遠隔地の複数の照明制御監視システムの諸設定及び管理を行うことができる照明制御システムを提供することを目的とするものである。
【００１５】
また、本発明は、照明制御監視システムと汎用情報ネットワークとの接続箇所を考慮することなく容易に汎用情報ネットワークから照明制御監視システムを切断したり接続したりすることができる照明制御システムを提供することを目的とするものである。
【００１６】
さらに、本発明は、照明制御監視システム用サーバーを用いて汎用情報ネットワークと接続する場合に、照明制御監視システム用サーバーと中央制御装置間に伝送不能が発生した時にその問題部位及び原因を特定することができる照明制御システムを提供することを目的とするものである。
【００１７】
【課題を解決するための手段】
請求項１記載の発明の照明制御システムは、システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；所定の通信プロトコルに基づいたデータ伝送を行う汎用情報ネットワークと；前記照明制御監視システム内に設けられ、前記照明制御監視システムの伝送信号線と接続され、前記照明制御監視システムと前記汎用情報ネットワーク間でデータ授受を行うための伝送Ｉ／Ｆを取る機能と、前記汎用情報ネットワークにおける照明制御監視システム用サーバー機能とを備えたシステムＩ／Ｆ装置と；を具備している。
【００１８】
監視端末器は、壁などに設置された操作スイッチやセンサなどを有した端末であり、制御端末器が制御する負荷は放電灯などの照明負荷を意味する。ここで、照明制御監視システムの伝送信号線と接続される監視端末器，制御端末器，及びシステムＩ／Ｆ装置は、いずれもＣＰＵなどで構成される処理部と、伝送信号線に接続する伝送Ｉ／Ｆ部と、照明制御監視システム上における各端末としてのアドレスなどを記憶する記憶部とを、少なくとも備えた構成となっている。
【００１９】
所定の通信プロトコル基づいた汎用情報ネットワークとは、例えばＴＣＰ／ＩＰなどを用いたインターネットによる汎用ネットワークである。
【００２０】
照明制御監視システムはホスト・端末型のシステムを構成しており、システムＩ／Ｆ装置とクライアントＰＣはサーバー・クライアント型のＬＡＮシステムを構成している。
【００２１】
本発明においては、照明制御監視システムと汎用情報ネットワーク間でデータ授受を行うための伝送Ｉ／Ｆを取る機能と、汎用情報ネットワークに対する照明制御監視システム用サーバー機能とを備えたシステムＩ／Ｆ装置を設けて照明制御監視システム内の伝送信号線と接続したので、特別な専用線を用いることなく、照明制御監視システムと汎用情報ネットワークとの接続作業を簡易にすることができる。汎用情報ネットワークための照明制御監視システム用サーバーを専用信号線を用いて設置する作業及びスペースが不要となる。
【００２２】
請求項２記載の発明の照明制御システムは、システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；所定の通信プロトコルに基づいたデータ伝送を行う汎用情報ネットワークと；前記照明制御監視システム内に設けられ、前記照明制御監視システムの伝送信号線と接続され、前記照明制御監視システムと前記汎用情報ネットワーク間でデータ授受を行うための伝送Ｉ／Ｆを取る機能と、前記汎用情報ネットワークにおける照明制御監視システム用サーバー機能とを備えたシステムＩ／Ｆ装置と；前記システムＩ／Ｆ装置と前記汎用情報ネットワークを用いて接続され、前記汎用情報ネットワークを介し前記システムＩ／Ｆ装置への制御監視データが送受信可能な少なくとも１つのクライアントＰＣと；を具備している。
【００２３】
クライアントＰＣとしては、特殊なＰＣでなくても現在一般に販売されている汎用のＰＣでよい。
【００２４】
本発明においては、前記汎用情報ネットワークを介し前記システムＩ／Ｆ装置への制御監視データが送受信可能な少なくとも１つのクライアントＰＣを設けたので、汎用情報ネットワークを介して中央制御装置へデータを送受信し遠隔地の少なくとも１つの照明制御監視システムの諸設定及び監視を行うことが可能となる。
【００２５】
請求項３記載の発明の照明制御システムは、請求項２記載の照明制御システムにおいて、前記クライアントＰＣから前記汎用情報ネットワーク及び前記システムＩ／Ｆ装置を介して前記中央制御装置へ各種設定用データを送信することにより前記中央制御装置の設定が可能であることを特徴としている。
【００２６】
本発明においては、クライアントＰＣから汎用情報ネットワーク及びシステムＩ／Ｆ装置を介して中央制御装置へ各種設定用データを送信することにより、中央制御装置の設定が画面操作により容易に可能である。つまり、中央制御装置には記憶すべき各種の設定データがあり、それらのデータをクライアントＰＣ側からシステムＩ／Ｆ装置を介して中央制御装置に記憶させることができる。
【００２７】
請求項４記載の発明の照明制御システムは、請求項２又は３記載の照明制御システムにおいて、前記クライアントＰＣから前記汎用情報ネットワークを介して前記システムＩ／Ｆ装置へデータを送信する際にパスワード等を用いたセキュリティ機能を具備したことを特徴としている。
【００２８】
本発明においては、クライアントＰＣから汎用情報ネットワークを介してシステムＩ／Ｆ装置へデータを送信する際にパスワード等を用いたセキュリティ機能を用いることにより、システムＩ／Ｆ装置に対して誰もがアクセスすることができないようにすることができる。つまり、中央制御装置のデータをシステムＩ／Ｆ装置を介して扱うので、セキュリティの高いシステムとすることが必要である。
【００２９】
請求項５記載の発明の照明制御システムは、請求項２〜４のいずれか１つに記載の照明制御システムにおいて、前記照明制御監視システム内に、前記システムＩ／Ｆ装置と前記汎用情報ネットワーク間を切断或いは接続する切換手段と、この切換手段の切断或いは接続を操作する監視端末器とを設け、前記照明制御監視システムと前記汎用情報ネットワーク間を切断或いは接続することを特徴としている。
【００３０】
本発明においては、システムＩ／Ｆ装置と汎用情報ネットワーク間を切断或いは接続する切換手段と、この切換手段の切断或いは接続を操作する新規の監視端末器とを設けたので、照明制御監視システムと汎用情報ネットワークとの接続箇所を探して物理的に切断する必要がなく、容易に汎用情報ネットワークから照明制御監視システムを切断したり接続したりすることが可能となる。つまり、新規の監視端末器を押すだけの操作で切断したり接続したりすることができる。
【００３１】
請求項６記載の発明の照明制御システムは、システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；所定の通信プロトコルに基づいたデータ伝送を行う汎用情報ネットワークと；前記照明制御監視システムの中央制御装置に専用信号線で直接接続された照明制御監視システム用サーバーと；前記照明制御監視システム用サーバーと前記汎用情報ネットワークで接続され、前記汎用情報ネットワークを介し前記照明制御監視システム用サーバーへ制御監視データが送受信可能な少なくとも１つのクライアントＰＣと；前記照明制御監視システム内に、前記照明制御監視システム用サーバーと前記汎用情報ネットワーク間を切断或いは接続する切換手段と、この切換手段の切断或いは接続を操作する監視端末器とを設けて構成され、前記照明制御監視システムと前記汎用情報ネットワーク間を切断或いは接続する手段と；を具備している。
【００３２】
本発明においては、照明制御監視システム用サーバーを用いて汎用情報ネットワークと接続する照明制御システムにおいて、照明制御監視システム用サーバーと汎用情報ネットワーク間を切断或いは接続する切換手段と、この切換手段の切断或いは接続を操作する監視端末器とを設けたので、照明制御監視システムと汎用情報ネットワークとの接続箇所を探して物理的に切断する必要がなく、容易に汎用情報ネットワークから照明制御監視システムを切断したり接続したりすることが可能となる。請求項５と同様、新規の監視端末器を押すだけの操作で切断したり接続したりすることができる。
【００３３】
請求項７記載の発明の照明制御システムは、システム全体を管理する中央制御装置と、人の操作などを検出して前記中央制御装置に信号を送信する監視端末器と、前記中央制御装置からの制御信号を受信して負荷に対してその信号内容に応じた制御動作を行う制御端末器とを伝送信号線で接続して構成される照明制御監視システムと；所定の通信プロトコルに基づいたデータ伝送を行う汎用情報ネットワークと；前記照明制御監視システムの中央制御装置に専用信号線で直接接続された照明制御監視システム用サーバーと；前記照明制御監視システム用サーバーと前記汎用情報ネットワークで接続され、前記汎用情報ネットワークを介し前記照明制御監視システム用サーバーへ制御監視データが送受信可能な少なくとも１つのクライアントＰＣと；前記中央制御装置内に設けられ、中央制御装置の電源入切に連動して、前記照明制御監視システム用サーバーから前記中央制御装置へ送信した信号を、中央制御装置側に取り込むか、又は中央制御装置側から前記照明制御監視システム用サーバーへループバックさせるかを、切り換える信号経路切換部と；を具備している。
【００３４】
本発明においては、照明制御監視システム用サーバーを用いて汎用情報ネットワークと接続する照明制御システムにおいて、中央制御装置の電源入切に連動して、照明制御監視システム用サーバーから中央制御装置へ送信した信号を、中央制御装置側に取り込むか、又は中央制御装置側から照明制御監視システム用サーバーへループバックさせるかを、切り換える信号経路切換部を設けたので、照照明制御監視システム用サーバーと中央制御装置間に伝送不能が発生した時にその問題部位及び原因をほぼ特定することが可能となる。例えば、照明制御監視システム用サーバーは、クライアントＰＣから中央制御装置を監視するためのアクセスがあったときに、ｉ）中央制御装置の電源が落ちているのか、ii）専用信号線が切断或いは中央制御装置に異常発生か、を判断してクライアントＰＣに表示することができる。
【００３５】
【発明の実施の形態】
発明の実施の形態について図面を参照して説明する。
図１は本発明の第１の実施の形態の照明制御システムを示すブロック図である。
【００３６】
図１において、照明制御システムは、照明制御監視システム２００と汎用情報ネットワーク６０とで構成され、汎用情報ネットワーク６０には少なくとも１つのクライアントＰＣが接続されている。
【００３７】
照明制御監視システム２００は、システム全体を管理する中央制御装置１０と、人の操作などを検出して中央制御装置１０に信号を送信する監視端末器２０と、中央制御装置１０からの制御信号を受信して負荷４０に対してその信号内容に応じた制御動作を行う制御端末器３０と、システムＩ／Ｆ装置１００とを伝送信号線５０で接続して構成されている。負荷４０は、例えば放電灯や電球である。
【００３８】
システムＩ／Ｆ装置１００は、照明制御監視システム２００内に設けられ、照明制御監視システム２００の伝送信号線５０と接続され、照明制御監視システム２００と汎用情報ネットワーク６０間でデータ授受を行うための伝送Ｉ／Ｆを取る機能と、汎用情報ネットワーク６０における照明制御監視システム用サーバー機能とを備えている。ここで、汎用情報ネットワーク６０における照明制御監視システム用サーバー機能とは、システムＩ／Ｆ装置１００が汎用情報ネットワーク６０を用いてクイアントＰＣ９０と接続しており、システムＩ／Ｆ装置１００がクライアントＰＣ９０に対してサーバー機能を有していることを意味している。システムＩ／Ｆ装置１００によって、ホスト・端末型の照明制御監視システムとサーバー・クライアント型のＬＡＮシステムを結合する構成となっている。
【００３９】
システムＩ／Ｆ装置１００に接続された汎用情報ネットワーク６０には、照明制御監視システム２００の各端末器２０，３０の状態などの表示及び各端末器２０，３０を制御するための画面が表示される少なくとも１つのクライアントＰＣ９０が接続している。クライアントＰＣ９０は、汎用情報ネットワーク６０を介しシステムＩ／Ｆ装置１００に対して制御監視データが送受信可能となっている。ここで、制御監視データとは、照明制御監視システム２００内の各端末器２０，３０を定期的に監視して得られる状態データや、中央制御装置１０や各端末器２０，３０に対して各種設定及び制御をするための制御データを意味する。
【００４０】
汎用情報ネットワーク６０は、インターネットケーブル，ＬＡＮケーブル，電話線などのネットワーク伝送媒体を用いて、照明制御監視システム２００に接続したシステムＩ／Ｆ装置１００とクライアントＰＣ９０の間で、ＴＣＰ／ＩＰ等の所定の通信プロトコルに基づいたデータ伝送を行うネットワークである。
【００４１】
図２に、上記システムＩ／Ｆ装置１００の構成を示している。システムＩ／Ｆ装置１００は、照明制御監視システムの伝送信号線５０へ接続する伝送Ｉ／Ｆ部１０１と、データ変換処理部1021とサーバー処理部1022からなる処理部１０２と、前記サーバー処理部1022に接続し、サーバー処理部1022と汎用情報ネットワーク６０との間の伝送Ｉ／Ｆを取る伝送Ｉ／Ｆ部１０４とで構成されている。
【００４２】
図２の構成では、通常、システムＩ／Ｆ装置１００は照明制御監視システム伝送Ｉ／Ｆ部１０１により照明制御監視システム２００の伝送信号（即ち定期的に中央制御装置１０内の処理部にアクセスして得られるシステムの情報）を受信しており、データ変換処理部1021においてその信号内容をサーバー処理部1022が処理できる形式に変換してサーバー処理部1022に通知する。サーバー処理部1022ではその通知されたデータを整理し記憶部１０３へ記憶しておく。
【００４３】
そして、クライアントＰＣ９０から照明制御監視システムの状態を監視するときは、クライアントＰＣ９０のＷＷＷブラウザなどにより汎用ネットワーク伝送Ｉ／Ｆ部１０４，サーバー処理部1022を介して記憶部１０３に記憶している照明制御監視システムの状態情報（各端末器２０，３０の動作状態の情報）を読み込み画面に表示させる。
【００４４】
また、クライアントＰＣ９０は、各端末器２０，３０を制御するための画面や中央制御装置１０への諸設定を行うための画面表示可能であり、クライアントＰＣ９０の画面操作により前記の各端末器２０，３０を制御するための制御データや中央制御装置１０の諸設定を行うためのデータが、汎用ネットワーク伝送Ｉ／Ｆ部１０４，サーバ処理部1022を介してデータ変換処理部1021にて照明制御監視システム２００の伝送フォーマットに変換され照明制御監視システム伝送Ｉ／Ｆ部１０１より伝送信号線５０へ送信され、中央制御装置１０へと送られる。そして、中央制御装置１０から各端末器２０，３０に対して制御データが送られることになる。
【００４５】
なお、クライアントＰＣ９０から汎用情報ネットワーク６０を介してシステムＩ／Ｆ装置１００へデータを送信する際にパスワード等を用いたセキュリティ機能を設けて、システムＩ／Ｆ装置１００に対して誰でも簡単にアクセスできないようにして、データの安全性を高めるように構成しても良い。
【００４６】
また、システムＩ／Ｆ装置１００は、中央制御装置１０内の空きスペースに設置したり、中央制御装置１００内の伝送信号線５０の端子部などに接続することが可能である。
【００４７】
図３に、上記照明制御監視システム２００内における、中央制御装置１０、監視端末器２０、及び制御端末器３０の構成を示す。中央制御装置１０は、図３(a) に示すように、伝送信号線５０と接続してデータ授受を行うため伝送Ｉ／Ｆ部１１と、ＣＰＵなどで構成されて、データ変換等の処理や各端末器の監視等を行う処理部１２と、各端末器の状態データや制御データを記憶するための記憶部１３とを有して構成されている。監視端末器２０は、図３(b) に示すように、伝送信号線５０と接続してデータ授受を行うため伝送Ｉ／Ｆ部２１と、ＣＰＵなどで構成されて、操作スイッチ部２４の動作状態の監視，操作入力データの受信及び解読，データ変換などの処理を行う処理部２２と、照明制御監視システム上における自端末器のアドレスなどを記憶してある記憶部２３と、室内外の壁などに設置した操作スイッチ部２４（或いは室内外の明るさの照度を監視する光センサなどのセンサ部）とを有して構成されている。制御端末器３０は、図３(c) に示すように、伝送信号線５０と接続してデータ授受を行うため伝送Ｉ／Ｆ部３１と、ＣＰＵなどで構成されて、制御データ解読や駆動部３４へのデータ変換なとの処理を行う処理部３２と、照明制御監視システム上における自端末器のアドレスなどを記憶してある記憶部３３と、処理部３２からの信号に基づいて負荷に対する駆動制御を行う駆動部３４とを有して構成されている。
【００４８】
以上述べた第１の実施の形態によれば、照明制御監視システム２００の伝送信号線５０に接続してシステムＩ／Ｆ装置１００を設けて、汎用情報ネットワーク６０との伝送Ｉ／Ｆを取ると共に汎用情報ネットワーク６０に対するサーバー機能を持たせたので、照明制御監視システム２００と汎用情報ネットワーク６０との接続作業を簡易に行うことが可能となる一方、照明制御監視システム２００を汎用情報ネットワーク６０に接続するために従来、中央制御装置１０Ａに専用信号線８０を用いて接続していた照明制御監視システム用サーバー７０（図１１参照）が不要となり、専用線８０による特別なサーバー７０を接続するための煩雑な設置作業及び比較的大きい設置スペースは不要となる。
【００４９】
なお、図４は上記図１の汎用情報ネットワークに対して複数の照明制御監視システム２００が接続された状態を示している。システムＩ／Ｆ装置１００に接続された汎用情報ネットワーク６０には、照明制御監視システム２００の各端末器の状態などの表示、中央制御装置１０の諸設定、及び各端末器を制御するための画面を表示するクライアントＰＣ９０が接続されている。
【００５０】
このようにインターネットなどの汎用情報ネットワーク６０に対して複数の照明制御監視システム２００を接続する構成とすることにより、遠隔地からクライアントＰＣ９０により汎用情報ネットワーク６０を介して照明制御監視システム２００の中央制御装置１０へデータを送受信でき、遠隔地に存在する複数の照明制御監視システム２００の諸設定及び管理を一箇所で担うことが可能である。
【００５１】
ところで、以上述べたような汎用情報ネットワークに接続した照明制御監視システムにおいて、汎用情報ネットワークから照明制御監視システムを切り離したいときがある。例えば、(1)システムＩ／Ｆ装置１００に問題が生じたとき、(2)クライアントＰＣ側からの照明制御監視システムに対する制御を完全に断ちたいとき、(3)照明制御システムにおける故障の原因の調査のために汎用情報ネットワークと照明制御監視システムを完全に独立させる必要があるとき、(4)照明制御監視システムが正常に動作しているか否かをみるために、照明制御監視システムを独立するように切り離したいとき、などである。
【００５２】
次に、本発明の第２の実施の形態について説明する。
図５，図６は本発明の第２の実施の形態の照明制御システムを示すブロック図である。図５はシステムＩ／Ｆ装置１００を用いた照明制御システムの場合（図１のシステムに対応している）、図６は照明制御監視システム用サーバーを用いた照明制御システムの場合（図１１の従来システムに対応している）を示している。
【００５３】
図５において、照明制御監視システム２００内の伝送信号線５０に、切換え部１１０と新規の監視端末器２０Ａを接続する構成とする。切換え部２０ＡはシステムＩ／Ｆ装置１００と汎用情報ネットワーク６０との間を物理的に切断或いは接続するためのものであり、新規に設けた監視端末器２０Ａは切換え部１１０による切断或いは接続を操作するためのものである。新規の監視端末器２０Ａは操作スイッチで構成され、切換え部１１０は例えばリレーのような電気的スイッチ手段で構成される。
【００５４】
上記図５の構成で、新規の監視端末器２０Ａの操作部を押すことによって、オフ情報（又はオン情報）と端末アドレス情報とで構成される伝送信号が中央制御装置１０に送られ、中央制御装置１０は伝送信号中のオフ情報（又はオン情報）を、端末アドレス情報が示す切換え部１１０に転送する。切換え部１１０にオフ情報（又はオン情報）が受信されると、切換え部１１０の内部で例えばリレーをオフ（或いはオン）することにより、システムＩ／Ｆ装置１００と汎用情報ネットワーク６０との間、つまり照明制御監視システム２００と汎用情報ネットワーク６０との間を強制的に切断（或いは接続）することができる。
【００５５】
図６において、照明制御監視システム２００内の伝送信号線５０に、切換え部１１０と新規の監視端末器２０Ａを接続する構成とする。切換え部２０Ａは照明制御監視システム用サーバー７０と汎用情報ネットワーク６０との間を物理的に切断或いは接続するためのものであり、新規に設けた監視端末器２０Ａは切換え部１１０による切断或いは接続を操作するためのものである。図５と同様に、新規の監視端末器２０Ａは操作スイッチで構成され、切換え部１１０は例えばリレーのような電気的スイッチ手段で構成される。
【００５６】
上記図６の構成で、新規の監視端末器２０Ａの操作部を押すことによって、オフ情報（又はオン情報）と端末アドレス情報とで構成される伝送信号が中央制御装置１０に送られ、中央制御装置１０は伝送信号中のオフ情報（又はオン情報）を、端末アドレス情報が示す切換え部１１０に転送する。切換え部１１０にオフ情報（又はオン情報）が受信されると、切換え部１１０の内部で例えばリレーをオフ（或いはオン）することにより、照明制御監視システム用サーバー７０と汎用情報ネットワーク６０との間、つまり照明制御監視システム２００と汎用情報ネットワーク６０との間を強制的に切断（或いは接続）することができる。
【００５７】
なお、ビルディングなどに設置される照明制御監視システム２００の中央制御装置１０或いは１０Ａは、通常、ビル内の管理室などに置かれることが多いが、新規の監視端末器２０Ａについても誰でもが操作できるようなところには置かず、中央制御装置と同様に管理室などに設置することが望ましい。
【００５８】
図７に、図５及び図６における照明制御監視システム２００内の、切換え部１１０、監視端末器２０Ａ、及び中央制御装置１０Ａの構成を示す。図５の中央制御装置１０の構成は図３(a) と同様である。切換え部１１０は、図７(a) に示すように、伝送信号線５０と接続してデータ授受を行うため伝送Ｉ／Ｆ部1101と、ＣＰＵなどで構成されて、制御データ解読や駆動部1104への駆動データ変換なとの処理を行う処理部1102と、照明制御監視システム上における自端末器のアドレスなどを記憶してある記憶部1103と、処理部1102からの信号に基づいてリレー1105に対する駆動制御を行う駆動部1104と、切換手段としてのリレー1105とを有して構成されている。監視端末器２０Ａは、図７(b) に示すように、伝送信号線５０と接続してデータ授受を行うため伝送Ｉ／Ｆ部２１と、ＣＰＵなどで構成されて、操作スイッチ部２４の動作状態の監視，操作入力データの受信及び解読，データ変換などの処理を行う処理部２２と、照明制御監視システム上における自端末器のアドレスなどを記憶してある記憶部２３と、分電盤などに設置した操作スイッチ部２４とを有して構成されている。中央制御装置１０Ａは、図７(c) に示すように、伝送信号線５０と接続してデータ授受を行うため伝送Ｉ／Ｆ部１１と、ＣＰＵなどで構成されて、データ変換等の処理や各端末器の監視等を行う処理部１２と、各端末器の状態データや制御データを記憶するための記憶部１３と、専用信号線８０と接続して照明制御監視システム用サーバー７０との間でデータ授受を行うため伝送Ｉ／Ｆ部１４とを有して構成されている。
【００５９】
図８に、上記照明制御監視システム用サーバー７０の構成を示している。照明制御監視システム用サーバー７０は、中央制御装置１０Ａの専用信号線８０へ接続する伝送Ｉ／Ｆ部７１と、データ変換処理部７２１とサーバー処理部７２２からなる処理部７２と、前記サーバー処理部７２２に接続し、サーバー処理部７２２と汎用情報ネットワーク６０との間の伝送Ｉ／Ｆを取る伝送Ｉ／Ｆ部７４とで構成されている。
【００６０】
図８の構成では、通常、照明制御監視システム用サーバー７０は専用信号伝送Ｉ／Ｆ部７１により専用信号線８０を介して照明制御監視システム２００の伝送信号（即ち定期的に或いはクライアント側からの要求があった時に中央制御装置１０内の処理部にアクセスして得られるシステムの情報）を受信し、データ変換処理部７２１においてその信号内容をサーバー処理部７２２が処理できる形式に変換してサーバー処理部７２２に通知する。サーバー処理部７２２ではその通知されたデータを整理し記憶部７３へ記憶しておく。
【００６１】
そして、クライアントＰＣ９０から照明制御監視システム２００の状態を監視するときは、クライアントＰＣ９０のＷＷＷブラウザなどにより汎用ネットワーク伝送Ｉ／Ｆ部７４，サーバー処理部７２２を介して記憶部７３に記憶している照明制御監視システム２００の状態情報（各端末器２０，３０，２０Ａ，１１０の動作状態の情報）を読み込み画面に表示させる。
【００６２】
また、クライアントＰＣ９０は、各端末器２０，３０，２０Ａ，１１０を制御するための画面や中央制御装置１０Ａへの諸設定を行うための画面が表示可能であり、クライアントＰＣ９０の画面操作により前記の各端末器２０，３０，２０Ａ，１１０を制御するための制御データや中央制御装置１０の諸設定を行うためのデータが、汎用ネットワーク伝送Ｉ／Ｆ部７４，サーバ処理部７２２を介してデータ変換処理部７２１にて照明制御監視システム２００の伝送フォーマットに変換され専用信号伝送Ｉ／Ｆ部７１より専用信号線８０へ送信され、中央制御装置１０Ａへと送られる。そして、中央制御装置１０Ａから各端末器２０，３０，２０Ａ，１１０に対して制御データが送られることになる。
【００６３】
以上述べた第２の実施の形態によれば、照明制御監視システム２００と汎用情報ネットワーク６０との接続箇所を考慮することなく容易に汎用情報ネットワーク６０から照明制御監視システム２００を物理的に切断又は接続することが可能となる。
【００６４】
ところで、図１１に示したような照明制御監視システム用サーバー７０を用いて照明制御監視システムと汎用情報ネットワークとを接続した照明制御システムについて、例えばクライアントＰＣ９０から照明制御監視システム用サーバー７０をアクセスしたときに中央制御装置１０Ａの情報が何らかの原因で見れないとした場合に、その原因として考えられるのは、(1)中央制御装置１０Ａの電源がオフしている、(2)専用信号線８０が切れてしまっている或いは中央制御装置１０Ａに何か異常が発生している、である。(1)か(2)かを判断するための実施の形態を次に説明する。
【００６５】
図９は、本発明の第３の実施の形態の照明制御システムにおける照明制御監視システム用サーバーと中央制御装置間の専用信号伝送部の構成を示している。本実施の形態の照明制御システムの全体構成は従来図（図１１）のブロック図と同様である。図１１で、照明制御監視システム２００の中央制御装置１０Ａ，監視端末器２０，制御端末器３０が伝送信号線５０で接続され、中央制御装置１０Ａから専用信号線８０として例えばＲＳ２３２Ｃ等で照明制御監視システム用サーバー７０が接続される構成となっており、照明制御監視システム２００は照明制御監視システム用サーバー７０を介して汎用情報ネットワーク６０に接続しており、汎用情報ネットワーク６０には、照明制御監視システム２００の各端末器の状態などの表示、中央制御装置１０Ａの諸設定、及び各端末器を制御するための画面が表示されるクライアントＰＣ９０が接続された構成となっている。
【００６６】
図９においては、照明制御監視システム用サーバーと中央制御装置間の専用信号伝送部の構成は従来（図１２）とは異なっており、中央制御装置１０Ａ内の伝送Ｉ／Ｆ部１４の近くに信号経路切換部１５を設けたものである。
【００６７】
信号切換部１５は、切換用切片（接点）を有した共通端ｃと２つの接続端ａ，ｂとを有し、リレースイッチで構成されても、トランジスタなどの半導体素子による電子的スイッチで構成されてもよい。信号切換部１５は、照明制御監視システム用サーバー７０と中央制御装置１０Ａ間を接続する専用信号線８０のうちの信号送信線８１，８２上に介挿され、共通端ｃと接続端ａは信号送信線８１に挿入され、接続端ｂは信号送信線８２上に置かれている。そして、信号切換部１５は、中央制御装置１０Ａの処理部１２からの制御信号によって２つの接続端ａ，ｂが切り換えられる。
【００６８】
信号切換部１５は、動作的には、中央制御装置１２の電源入切に連動して、照明制御監視システム用サーバー７０から中央制御装置１０Ａへ送信した信号を、中央制御装置１０Ａ側に取り込むか、又は中央制御装置１０Ａ側から照明制御監視システム用サーバー７０へループバックさせるかを、切り換えるためのものである。
【００６９】
上記の構成で、中央制御装置１０Ａの電源オンの状態では、処理部１２からの制御により信号切換部１５の接点がａ側に閉じ、照明制御監視システム用サーバー７０の信号送信部７１１からの信号が中央制御装置１０Ａの信号受信部１４１を介して処理部１２へ入力する。中央制御装置１０Ａの電源オフ時には、処理部１２からの制御により信号切換部１５の接点がｂ側に閉じ、照明制御監視システム用サーバー７０の信号送信部７１１からの信号が信号送信線８２を通して照明制御監視システム用サーバー７０の信号受信部７１２を介して処理部７２にループバックする。このようにして、中央制御装置１０Ａの電源オン時には正常に中央制御装置１０Ａに信号が入力され、電源オフ時には照明制御監視システム用サーバー７０から送信された信号がループバックして照明制御監視システム用サーバー７０の信号受信部７１２により受信される。照明制御監視システム用サーバー７０では送信した信号と同一の信号を受信したときには中央制御装置１０Ａが動作していない（電源オフ）と判断し、照明制御監視システム用サーバー７０から信号を送信しているにも関わらず応答がないときには専用信号線８０が切断しているか或いは中央制御装置１０Ａに異常が発生していると判断でき、判断結果をクライアントＰＣ９０にも通知して画面に表示することもできる。
【００７０】
以上述べた第３の実施の形態によれば、照明制御監視システム用サーバー７０を用いて汎用情報ネットワーク６０と接続する照明制御システムにおいて、照明制御監視システム用サーバー７０と中央制御装置１０Ａ間に伝送不能が発生した時にその問題部位及び原因を特定することが可能となる。
【００７１】
【発明の効果】
請求項１の発明によれば、照明制御監視システムと汎用情報ネットワーク間でデータ授受を行うための伝送Ｉ／Ｆを取る機能と、汎用情報ネットワークに対する照明制御監視システム用サーバー機能とを備えたシステムＩ／Ｆ装置を設けたので、特別な信号線を用いることなく、照明制御監視システムと汎用情報ネットワークとの接続作業を簡易にすることが可能となる。汎用情報ネットワークの照明制御監視システム用サーバーの設置作業及び設置スペースが不要となる。
【００７２】
請求項２の発明によれば、前記汎用情報ネットワークを介し前記システムＩ／Ｆ装置への制御監視データが送受信可能な少なくとも１つのクライアントＰＣをもうけたので、汎用情報ネットワークを介して中央制御装置へデータを送受信し遠隔地の少なくとも１つの照明制御監視システムの諸設定及び管理を行うことが可能となる。
【００７３】
請求項３の発明によれば、クライアントＰＣから汎用情報ネットワーク及びシステムＩ／Ｆ装置を介して中央制御装置へ各種設定用データを送信することにより、中央制御装置の設定が画面操作により容易に可能である。
【００７４】
請求項４の発明によれば、クライアントＰＣから汎用情報ネットワークを介してシステムＩ／Ｆ装置へデータを送信する際にパスワード等を用いたセキュリティ機能を用いることにより、システムＩ／Ｆ装置に対して誰もがアクセスすることができないようにすることができる。
【００７５】
請求項５の発明によれば、システムＩ／Ｆ装置と汎用情報ネットワーク間を切断或いは接続する切換手段と、この切換手段の切断或いは接続を操作する新規の監視端末器とを設けたので、照明制御監視システムと汎用情報ネットワークとの接続箇所を探して物理的に切断することなく、容易に汎用情報ネットワークから照明制御監視システムを切断したり接続したりすることが可能となる。
【００７６】
請求項６の発明によれば、照明制御監視システム用サーバーを用いて汎用情報ネットワークとする照明制御システムにおいて、照明制御監視システム用サーバーと汎用情報ネットワーク間を切断或いは接続する切換手段と、この切換手段の切断或いは接続を操作する監視端末器とを設けたので、照明制御監視システムと汎用情報ネットワークとの接続箇所を探して物理的に切断することなく、容易に汎用情報ネットワークから照明制御監視システムを切断したり接続したりすることが可能となる。
【００７７】
請求項７の発明によれば、照明制御監視システム用サーバーを用いて汎用情報ネットワークとする照明制御システムにおいて、中央制御装置の電源入切に連動して、照明制御監視システム用サーバーから中央制御装置へ送信した信号を、中央制御装置側に取り込むか、又は中央制御装置側から照明制御監視システム用サーバーへループバックさせるかを、切り換える信号経路切換部を設けたので、照照明制御監視システム用サーバーと中央制御装置間に伝送不能が発生した時にその原因をほぼ特定することが可能となる。
【図面の簡単な説明】
【図１】本発明の第１の実施の形態の照明制御システムを示すブロック図。
【図２】図１におけるシステムＩ／Ｆ装置の構成を示すブロック図。
【図３】図１における中央制御装置，監視端末器，及び制御端末器の各構成を示すブロック図。
【図４】図１の構成を用いて、複数の照明制御監視システムを汎用情報ネットワークに接続してなる照明制御システムを示すブロック図。
【図５】本発明の第２の実施の形態に係り、システムＩ／Ｆ装置を用いて汎用情報ネットワークに接続した照明制御システムを示すブロック図。
【図６】本発明の第２の実施の形態に係り、照明制御監視システム用サーバーを用いて汎用情報ネットワークに接続した照明制御システムを示すブロック図。
【図７】図５，図６における切換え部，新規の監視端末器，及び中央制御装置の各構成を示すブロック図。
【図８】図６における照明制御監視システム用サーバーの構成を示すブロック図。
【図９】本発明の第３の実施の形態の照明制御システムにおける照明制御監視システム用サーバーを示すブロック図。
【図１０】従来の照明制御システムを示すブロック図。
【図１１】照明制御監視システム用サーバーを用いて汎用情報ネットワークと接続したもう１つの従来例の照明制御システムを示すブロック図。
【図１２】図１２における、照明制御監視システム用サーバーと中央制御装置間の専用信号伝送部の構成を示すブロック図。
【符号の説明】
１０，１０Ａ…中央制御装置
１５…信号経路切換部
２０，２０Ａ…監視端末器
３０…制御端末器
４０…負荷
５０…伝送信号線
６０…汎用情報ネットワーク
７０…照明制御監視システム用サーバー
８０…専用信号線
９０…クライアントＰＣ
１００…システムＩ／Ｆ装置
１１０…切換え部
【図１】
0004058856.tif 000002
【図２】
0004058856.tif 000003
【図３】
0004058856.tif 000004
【図４】
0004058856.tif 000005
【図５】
0004058856.tif 000006
【図６】
0004058856.tif 000007
【図７】
0004058856.tif 000008
【図８】
0004058856.tif 000009
【図９】
0004058856.tif 000010
【図１０】
0004058856.tif 000011
【図１１】
0004058856.tif 000012
【図１２】
0004058856.tif 000013